(57)【特許請求の範囲】
【請求項１】
開閉蓋を有する装置本体内に、
複数枚の投票用紙を収容する収容部と、
投票用紙を、収容部から１枚ずつ取出して、搬送して、用紙取出口から突出させる、用紙送出機構と、を備えており、
用紙送出機構を作動させる度に、１枚の投票用紙が用紙取出口から突出するようになっている、投票用紙交付装置において、
開閉蓋が、外部から、収容部及び収容部にセットされた投票用紙を視認可能なように、透明であり、
装置本体内に、収容部を照らす照明具が設けられており、照明具は、収容部にセットされた投票用紙を照らすように、配置されており、
開閉蓋の開閉と照明具のオンオフとを連動させる連動手段を、備えており、
連動手段は、開閉蓋が開くと照明具をオンし、開閉蓋が閉じると所定時間経過後に照明具をオフするように、構成されている、
ことを特徴とする投票用紙交付装置。
【請求項２】
収容部が、投票用紙を立てた状態で搬送方向に重ねて収容するように、構成されており、投票用紙を搬送方向下流側へ向けて押し付ける押さえ部材を、有しており、
連動手段は、開閉蓋が開くと照明具をオンし、押さえ部材が移動した場合のみに、開閉蓋が閉じると所定時間経過後に照明具をオフするように、構成されている、
請求項１記載の投票用紙交付装置。
【請求項３】
収容部が、投票用紙見本を保持する見本保持部を、備えており、
照明具が、見本保持部を照らすように設けられている、
請求項１又は２に記載の投票用紙交付装置。
【請求項４】
照明具が、白色ＬＥＤ又は白色系電球である、
請求項１〜３のいずれか一つに記載の投票用紙交付装置。
【発明の詳細な説明】
【技術分野】
【０００１】
本発明は、投票用紙を投票者に交付するための投票用紙交付装置に関するものである。
【背景技術】
【０００２】
投票用紙交付装置は、投票用紙を自動で計数しながら確実に交付できるので、選挙において有効に利用されており、特に、複数の選挙が同時に実施される場合に有効に利用されている。そして、複数の選挙が同時に実施される場合には、投票用紙は、複数種類あり、種類毎に、対応する交付装置にセットされる。
【０００３】
ところで、投票用紙を種類毎に対応する交付装置にセットする作業は、操作者又は担当者が投票用紙の種類を目視で確認しながら行っていた。投票用紙の種類は、例えば、投票用紙に記載されている選挙の種類名や投票用紙の色によって、目視で確認できる。
【０００４】
しかしながら、操作者又は担当者は、投票用紙に記載されている選挙の種類名や投票用紙の色を目視で正確に確認しても、間違った交付装置に投票用紙をセットすることがあった。
【０００５】
そこで、そのような間違いを防止するために、特許文献１に記載の装置が提案されている。その装置では、予め、投票用紙に、選挙の種類に応じたマークが付されており、投票用紙が交付装置から交付された際に、マークを認識して、投票用紙の種類を確認するようになっている。
【先行技術文献】
【特許文献】
【０００６】
【特許文献１】特開平６−２１５２１８号公報
【発明の概要】
【発明が解決しようとする課題】
【０００７】
特許文献１の装置では、投票用紙の種類を確認するために、投票用紙をセットして交付装置を作動させる必要があり、面倒であった。
【０００８】
また、投票は、通常、体育館などの室内で実施されるが、室内照明が不十分な場合があり、その場合には、上述した目視による確認が不正確になる恐れがあった。
【０００９】
本発明は、室内照明が不十分な場合であっても、投票用紙を目視により正しく確認できる、投票用紙交付装置を、提供すること、を目的としている。
【課題を解決するための手段】
【００１０】
【００１１】
【００１２】
【００１３】
【００１４】
【００１５】
【００１６】
【００１７】
【００１８】
本発明は、開閉蓋を有する装置本体内に、複数枚の投票用紙を収容する収容部と、投票用紙を、収容部から１枚ずつ取出して、搬送して、用紙取出口から突出させる、用紙送出機構と、を備えており、用紙送出機構を作動させる度に、１枚の投票用紙が用紙取出口から突出するようになっている、投票用紙交付装置において、開閉蓋が、外部から、収容部及び収容部にセットされた投票用紙を視認可能なように、透明であり、装置本体内に、収容部を照らす照明具が設けられており、照明具は、収容部にセットされた投票用紙を照らすように、配置されており、開閉蓋の開閉と照明具のオンオフとを連動させる連動手段を、備えており、連動手段は、開閉蓋が開くと照明具をオンし、開閉蓋が閉じると所定時間経過後に照明具をオフするように、構成されている、ことを特徴としている。
【００１９】
上記第２態様は、次の構成を適宜採用するのが好ましい。
【００２０】
（Ａ）収容部が、投票用紙を立てた状態で搬送方向に重ねて収容するように、構成されており、投票用紙を搬送方向下流側へ向けて押し付ける押さえ部材を、有しており、連動手段は、開閉蓋が開くと照明具をオンし、押さえ部材が移動した場合のみに、開閉蓋が閉じると所定時間経過後に照明具をオフするように、構成されている。
（Ｇ）収容部が、投票用紙見本を保持する見本保持部を、備えており、照明具が、見本保持部を照らすように設けられている。
【００２１】
【００２２】
【００２３】
【００２４】
（Ｋ）照明具が、白色ＬＥＤ又は白色系電球である。
【００２５】
【発明の効果】
【００２６】
【００２７】
本発明によれば、照明具が収容部を照らすように設けられているので、交付装置が設置されている室内の照明が不十分な場合でも、投票用紙を収容部に適切にセットできる。
【図面の簡単な説明】
【００２８】
【図１】本発明の投票用紙交付装置の外観斜視図である。
【図２】図１のII−II断面図である。
【図３】開閉蓋を開けた状態の装置本体の外観斜視図である。
【図４】本発明の投票用紙交付装置の制御部のブロック図である。
【図５】押さえ部材の断面拡大図である。
【発明を実施するための形態】
【００２９】
図１は、本発明の投票用紙交付装置の外観斜視図である。図２は、図１のII−II断面図である。この交付装置１０は、装置本体１とコントローラ９とからなっている。
【００３０】
装置本体１は、略直方体形状の筐体であり、開閉蓋１１１を有している。図３は、開閉蓋１１１を開けた状態の装置本体１の外観斜視図である。開閉蓋１１１は、装置本体１の上壁１１の後部と後壁１５の上部とが一体となって構成されている。開閉蓋１１１は、前縁部１１２を支点として、上下に回動することにより、開閉するようになっている。
【００３１】
装置本体１は、内部に、複数枚の投票用紙を収容する収容部２と、投票用紙を、収容部２から１枚ずつ取出して、搬送路３１を通して搬送して、用紙取出口３２から突出させる、用紙送出機構３と、を有している。開閉蓋１１１は、収容部２を覆っている。開閉蓋１１１は、外部から収容部２を視認可能なように、透明に形成されている。
【００３２】
装置本体１は、後壁１５の片隅に、電源（図示せず）からの通電をオンオフする電源スイッチ１０１と、電源へのコネクタ１０２と、を有している。更に、装置本体１は、装置全体の作動を制御する制御部１１０（図４）を有している。図４は、制御部１１０のブロック図である。制御部１１０は、ＣＰＵ、ＲＯＭ、ＲＡＭ等により、実現されている。
【００３３】
コントローラ９は、コード９１を介して、装置本体１の制御部１１０に接続されており、制御部１１０に制御信号を送信するようになっている。コントローラ９は、操作キー９２、９３及び表示パネル９４等を有している。
【００３４】
収容部２は、複数枚の投票用紙を収容する空間として構成されており、立壁２１と底壁２２と両側壁２３とで囲まれている。立壁２１は、上部が前になるように少し傾斜しており、収容部２と用紙送出機構３とを隔てている。底壁２２は、用紙送出機構３に向けて少し低くなるように傾斜している。投票用紙Ｐは、図２に示されるように、立壁２１に沿うように立てた状態で、且つ、立壁２１側から重ねた状態で、収容部２に収容される。底壁２２には、収容した投票用紙Ｐを立壁２１に向けて押し付ける押さえ部材２５が設けられている。押さえ部材２５は、板体であり、前後方向（矢印Ｙ方向）に移動可能に設けられており、スプリング２６によって立壁２１側へ常時付勢されている。
【００３５】
用紙送出機構３は、操作キー９２又は９３を１回オンすると、次のように１回作動するようになっている。すなわち、図２に示されるように、まず、取出ローラ３３１及び捌き部材３３２によって、最も前に位置している投票用紙Ｐが収容部２から取り出され、搬送路３１へ送り出される。このとき、偏心ローラ３３３が、立壁２１から収容部２内へ周期的に突出するように回転して、重なっている投票用紙Ｐを揺動させるので、投票用紙Ｐ同士の間に隙間が生じ、１枚の投票用紙Ｐが取り出しやすくなる。搬送路３１に送り出された投票用紙Ｐは、搬送ローラ３４１、３４２、３４３によって、用紙取出口３２まで搬送される。投票用紙Ｐは、抜き取り検出部材３５１を回動させながら搬送されて、用紙取出口３２から突出し、回動から復帰した抜き取り検出部材３５１によって、下部が押さえられ、これによって、一部が用紙取出口３２から突出した状態で止まる。なお、抜き取り検出部材３５１は、スプリング（図示せず）によって復帰方向に常時付勢されている。そして、次の投票用紙Ｐの先端が１対のセンサー３６１によって検知されると、全てのローラの作動が停止する。用紙取出口３２から突出した投票用紙Ｐが、投票者によって抜き取られると、抜き取り検出部材３５１の回動がセンサー３６２によって検知され、装置本体１の前部に内蔵されたスピーカー４１から選挙の種類等を告げるアナウンスが流れる。投票用紙Ｐの重なりがセンサー３６１によって検知されると、排除ガイド部材３５２が、搬送路３１内に突出するように回動し、搬送されて来る投票用紙Ｐを搬送路３１から回収部３７へ逃がす。
【００３６】
図５は、押さえ部材２５の断面拡大図である。押さえ部材２５は、下部からなる押さえ部２５１と、上部からなる見本保持部２５２と、からなっている。見本保持部２５２は、投票用紙の見本Ｐｘが挿し込まれるスリット２５２１と、後板２５２２と、前板２５２３と、からなっている。後板２５２２は、見本Ｐｘを搬送方向上流側すなわち後方から視認可能なように、透明である。前板２５２３は、スリット２５２１を閉じるように、弾性的に形成されている。すなわち、後板２５２２と前板２５２３とは、スリット２５２１に挿し込まれた見本Ｐｘを挟持するクリップを、構成している。
【００３７】
見本Ｐｘは、セットすべき投票用紙の種類を示す用紙であればよく、例えば、投票用紙を縮小コピーした用紙、投票用紙と同色無地の用紙、投票用紙の選挙種類を記載した用紙などでもよい。
【００３８】
また、装置本体１は、側壁１３の内面に、収容部２内を照らすための照明具４２を、有している。照明具４２は、少なくとも、押さえ部材２５の見本保持部２５２、及び、投票用紙を、照らすように、配置されている。照明具４２としては、演色性が優れているという観点から、白色ＬＥＤ又は白色系電球が用いられている。
【００３９】
また、装置本体１は、開閉蓋１１１の開閉と照明具４２のオンオフとを連動させる連動手段（図示せず）を、有している。この連動手段は、具体的には、開閉蓋１１１の開閉を検知する開閉センサー８１と、照明具４２への通電をオンオフするスイッチ部８２と、開閉センサー８１からの信号を受けてスイッチ部８２を制御する連動制御部１３０と、からなっている。連動制御部１３０は、制御部１１０に設けられており、開閉センサー８１から「開」信号を受けると、スイッチ部８２をオンして照明具４２への通電をオンし、開閉センサー８１から「閉」信号を受けると、スイッチ部８２をオフして照明具４２への通電をオフするようになっている。したがって、連動手段は、開閉蓋１１１が開くと照明具４２をオンし、開閉蓋１１１が閉じると照明具４２をオフするようになっている。
【００４０】
また、装置本体１は、照明具４２のオンとオフとをマニュアルで切り替える切替手段を、有している。この切替手段は、具体的には、照明具４２へ至る電源コードの途中に設けられ、照明具４２への通電をオンオフする、マニュアルスイッチ８５である。
【００４１】
また、装置本体１は、連動手段及び切替手段のいずれか一方を選択する選択手段を、有している。この選択手段は、具体的には、選択スイッチ８６と、選択スイッチ８６からの信号に応じて、連動手段及び切替手段のいずれか一方を作動不能とする、選択制御部１４０と、からなっている。すなわち、この選択手段は、選択スイッチ８６が連動手段を選択する側に切り替えられると、選択制御部１４０が切替手段を作動不能とし、また、選択スイッチ８６が切替手段を選択する側に切り替えられると、選択制御部１４０が連動手段を作動不能とするようになっている。切替手段を作動不能とする機構としては、例えば、電源からマニュアルスイッチ８５へ至る電源コードを一時的に遮断する機構を、採用できる。連動手段を作動不能とする機構としては、開閉センサー８１を検知不能とする機構、又は、スイッチ部８２を作動不能とする機構、又は、連動制御部１３０を作動不能とする機構を、採用できる。
【００４２】
上記構成の交付装置１０は、次のように作動する。
【００４３】
予め、担当者は、投票用紙をセットする前に、当該投票用紙の種類を示す見本を見本保持部２５２に保持させておく。具体的には、見本を、スリット２５２１に挿し込み、前板２５２３と後板２５２２とで挟持する。
【００４４】
また、選択スイッチ８６を、連動手段を選択する側に、切り替えておく。これにより、切替手段は、作動不能となる。
【００４５】
そして、担当者は、次のようにして、交付装置１０に投票用紙をセットする。
すなわち、まず、開閉蓋１１１を開ける。開閉蓋１１１が開くと、開閉センサー８１から「開」信号が出力され、連動制御部１３０がスイッチ部８２をオンし、これにより、照明具４２がオンすなわち点灯する。そして、点灯した照明具４２によって、収容部２が照らされ、特に、見本保持部２５２の見本が照らされる。
【００４６】
次に、担当者は、セットしようとしている投票用紙を、見本と対比して、投票用紙の種類の正否を確認する。そして、担当者は、投票用紙が正しい場合には、投票用紙をセットする。すなわち、担当者は、押さえ部材２５を後方へ移動させ、投票用紙を、立てた状態で且つ立壁２１に沿わせて、底壁２２上に載置し、押さえ部材２５によって前方へ押し付ける。投票用紙が間違っている場合には、担当者は、正しい投票用紙を用意し、上記と同様にして、セットする。なお、投票用紙は、記名欄が後方を向くように、セットする。
【００４７】
そして、開閉蓋１１１を閉じる。開閉蓋１１１が閉じると、開閉センサー８１から「閉」信号が出力され、連動制御部１３０がスイッチ部８２をオフし、これにより、照明具４２がオフすなわち消灯する。
【００４８】
次に、操作者は、電源スイッチ１０１をオンし、そして、投票者が一人来ると、操作キー９２又は９３を１回オンする。このとき、投票者が男性の場合には男性用の操作キー９２をオンし、投票者が女性の場合には女性用の操作キー９３をオンする。
【００４９】
操作キー９２又は９３が１回オンされると、用紙送出機構３が１回作動して、投票用紙が、収容部２から１枚取出され、搬送路３１を通して搬送されて、用紙取出口３２から突出する。用紙取出口３２から突出した投票用紙は、投票者によって抜き出され、これにより、投票者の男女別の数が、カウントされて、表示パネル９４に表示される。抜き出された投票用紙は、投票に使用される。操作キー９２又は９３は、投票者が来る度に、１回オンされ、その度に、用紙送出機構３は、１回作動する。
【００５０】
以上のようにして、投票用紙の交付作業を行う。そして、収容部２にセットした投票用紙が無くなった場合や少なくなった場合には、開閉蓋１１１を開けて、上記と同様に、投票用紙をセットする。なお、担当者と操作者とは、同一人でも別人でもよい。
【００５１】
なお、選択スイッチ８６を、連動手段を選択する側ではなく、切替手段を選択する側に、切り替えておくと、照明具４２は、開閉蓋１１１の開閉に連動せず、マニュアルスイッチ８５によってオンオフされる。
【００５２】
上記構成の交付装置１０によれば、次のような効果を発揮できる。
【００５３】
（１）収容部２が見本保持部２５２を備えているので、担当者は、セットしようとしている投票用紙を、見本保持部２５２が保持している見本と対比して、投票用紙の種類の正否を確認することができる。したがって、間違った交付装置に投票用紙をセットしてしまうのを、防止できる。
【００５４】
（２）収容部２の押さえ部材２５に、見本保持部２５２が設けられている。したがって、見本保持部を、新たな部材を設けることなく、簡単に設けることができる。しかも、見本を、投票用紙と容易に対比できる位置に、配置でき、それ故、投票用紙の種類の正否を容易に確認できる。
【００５５】
（３）見本保持部２５２の後板２５２２が透明であるので、見本全体を後方から見ることができる。したがって、見本を見間違えるのを、防止できる。しかも、見本を保持させる作業を容易に行うことができる。
【００５６】
（４）見本保持部２５２がスリット２５２１を有しているので、見本を、スリット２５２１に挿し込むことにより、見本保持部２５２に保持させることができる。したがって、見本を簡単な作業で保持させることができる。
【００５７】
（５）見本保持部２５２の前板２５２３が、スリット２５２１を閉じるように、弾性的に形成されている。したがって、スリット２５２１に挿し込まれた見本を、強固に保持できる。それ故、仮に交付装置１０が上下逆さまになった場合でも、見本が外れるのを防止できる。
【００５８】
（６）見本保持部２５２が、後板２５２２と前板２５２３とによってクリップを構成している。したがって、見本保持部２５２は、簡単な構成で且つ確実に、見本を保持できる。
【００５９】
（７）開閉蓋１１１が透明であるので、交付作業中に、収容部２における投票用紙の残り具合を確認できる。したがって、投票用紙を適切な時期に収容部２に補充できる。
【００６０】
（８）照明具４２が、収容部２を照らすように設けられている。したがって、交付装置１０が設置されている室内の照明が不十分な場合でも、投票用紙を収容部２に適切にセットできる。
【００６１】
（９）照明具４２が、特に見本保持部２５２を照らすように設けられている。したがって、交付装置１０が設置されている室内の照明が不十分な場合でも、見本を確実に認識でき、それ故、セットしようとしている投票用紙の種類の正否を正しく判断できる。
【００６２】
（１０）連動手段によって、開閉蓋１１１が開くと照明具４２がオンし、開閉蓋１１１が閉じると照明具４２がオフする。したがって、投票用紙をセットする時のみ、照明具４２を点灯できる。それ故、照明具４２の不必要な作動を防止できる。
【００６３】
（１１）切替手段によって、照明具４２を必要に応じてオンできる。したがって、照明具４２の作動に融通性を持たせることができ、また、照明具４２の不必要な作動をより確実に防止できる。
【００６４】
（１２）選択手段によって、連動手段及び切替手段のいずれか一方を選択できるので、上記（１０）及び上記（１１）のいずれか一方の効果を任意に発揮できる。
【００６５】
（１３）照明具４２として、白色ＬＥＤ又は白色系電球を用いているので、自然光に近い光の下で、投票用紙を見たり投票用紙と見本とを対比したりできる。したがって、投票用紙や見本の色を正確に認識でき、それ故、投票用紙の種類が色によって表されている場合に、投票用紙の種類を正しく認識できる。なお、白色ＬＥＤとしては、三原色系の白色ＬＥＤを用いるのが最も好ましい。
【００６６】
更に、上記構成の交付装置１０は、次の構成（ｅ）を採用している。また、上記構成の交付装置１０は、次のような変形構成（ｂ）、（ｃ）、（ｄ）、（ｆ）を採用してもよい。
【００６７】
【００６８】
（ｂ）見本保持部は、収容部２内であれば、押さえ部材２５以外の場所に、設けてもよい。
【００６９】
（ｃ）見本保持部は、バネ式のクリップでもよい。
【００７０】
（ｄ）照明具４２としては、白色ＬＥＤ及び白色系電球に限らず、他のＬＥＤや電球などを用いてもよい。
【００７１】
（ｅ）連動手段は、開閉蓋１１１が開くと照明具４２がオンし、開閉蓋１１１が閉じて所定時間経過後に照明具４２がオフするように、構成されている。これによれば、開閉蓋１１１を閉じた後も、所定時間だけ、外部から収容部２の投票用紙を見ることができるので、セットした投票用紙の再確認を行うことができる。
【００７２】
（ｆ）連動手段は、開閉蓋１１１が開くと照明具４２がオンし、押さえ部材２５を少しでも移動させた場合のみに、開閉蓋１１１を閉じた際に、所定時間経過後に照明具４２をオフするように、構成されてもよい。押さえ部材２５を移動させた場合というのは、投票用紙を補充した場合に該当するので、この構成によれば、開閉蓋１１１を閉じた後も、所定時間だけ、外部から収容部２の投票用紙を見ることができるので、補充した投票用紙の再確認を行うことができる。
【００７３】
【産業上の利用可能性】
【００７４】
本発明の投票用紙交付装置は、間違った交付装置に投票用紙をセットしてしまうのを、簡単且つ確実に防止でき、又は、室内照明が不十分な場合であっても、投票用紙を目視により正しく確認できるので、産業上の利用価値が大である。
【符号の説明】
【００７５】
１  装置本体  １１１  開閉蓋  ２  収容部  ３  用紙送出機構  ３２  用紙取出口  ２５  押さえ部材  ２５２  見本保持部  ２５２１  スリット  ４２  照明具  １０  投票用紙交付装置
【図１】
0005987046.tif 000002
【図２】
0005987046.tif 000003
【図３】
0005987046.tif 000004
【図４】
0005987046.tif 000005
【図５】
0005987046.tif 000006